【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
１つ以上の汚染物質を含有している流体を処理するための凝集組成物であって、
凝集組成物の１０重量％未満のポリマーバインダと、
不溶性希土類元素含有化合物と、
随意で１つ以上の可溶性希土類元素含有化合物と、を含む凝集組成物。
【請求項２】
ポリマーバインダは凝集組成物の８重量％未満であり、不溶性希土類元素含有化合物は、ランタン、セリウム、プラセオジム、ネオジム、プロメチウム、サマリウム、ユウロピウム、ガドリニウム、テルビウム、ジスプロシウム、ホルミウム、エルビウム、ツリウム、イッテルビウム、およびルテチウムのうちの１つ以上を含み、凝集組成物は５０重量％を超える不溶性希土類元素含有化合物を含み、凝集組成物は、流動可能な粒子、粒状物、ビーズ、ペレット、粉体、または繊維の形態である、請求項１に記載の凝集組成物。
【請求項３】
ポリマーバインダの融点は不溶性希土類元素含有化合物の焼結温度以下であり、ポリマーバインダは、ポリウレタン、シリコーン、フルオロシリコーン、フェノール樹脂、メラミン樹脂、メラミンホルムアルデヒド、尿素ホルムアルデヒド、ナイロンを含むポリアミド、ポリエチレン、ＬＤＰＥ、ＬＬＤＰＥ、ＨＤＰＥ、ポリエチレンコポリマー、ポリオレフィン、可塑化ポリ塩化ビニル、非可塑化ポリ塩化ビニル、フッ素樹脂、ポリテトラフルオロエチレン、ポリスチレン、ポリプロピレン、セルロース樹脂、酢酸酪酸セルロース、アクリル樹脂、ポリアクリラート、ポリメチルメタクリラート、熱可塑性プラスチックブレンド、熱可塑性プラスチックブレンドグラフト、アクリロニトリル−ブタジエン−スチレン、アクリロニトリル−スチレン、ポリカルボナート、ポリビニルアセタート、エチレンビニルアセタート、ポリビニルアルコール、ポリオキシメチレン、ポリホルムアルデヒド、ポリアセタール、ポリエステル、ポリエチレンテレフタラート、ポリエーテルエーテルケトン、フェノール−ホルムアルデヒド樹脂、レゾール、ノボラック、エラストマー、天然ゴム、合成ゴム、スチレン−ブタジエンゴム、ネオプレン、ニトリルゴム、ブチルゴム、アルキルクロロスルホン化ポリエチレン、クロロスルホン化ポリエチレン、ペルフルオロエラストマー、ポリクロロプレン、エチレン−プロピレン−ジエンテルポリマー、塩素化ポリエチレン、およびフルオロエラストマーから選択される１つ以上のポリマーを含む、請求項１に記載の凝集組成物。
【請求項４】
不溶性希土類元素含有化合物は、ポリマーバインダの外面に付着した不溶性希土類元素含有粒子からなるマトリックスを含み、不溶性希土類元素含有化合物は、ポリマーバインダの外面に埋め込まれた不溶性希土類元素含有粒子からなるマトリックスを含み、不溶性希土類元素含有化合物は、炭酸セリウムの熱分解、シュウ酸セリウムの分解、およびセリウム塩の沈殿のうちの１つ以上に由来するセリウム含有化合物を含み、不溶性希土類元素含有化合物は、粒、結晶、および粒子のうちの１つ以上の形態であり、不溶性希土類元素含有化合物は、０．５ｎｍ以上、１ｎｍ以上、５ｎｍ以上、１０ｎｍ以上、１００ｎｍ以上、２５０ｎｍ以上、５００ｎｍ以上、および１μｍ以上から選択される平均粒子寸法を有し、不溶性希土類元素含有化合物は同じまたは異なる希土類元素を含有し随意で混合した原子価または酸化状態を含む２つ以上の不溶性希土類元素含有化合物を含み、不溶性希土類元素含有化合物は、セリウム、ランタン、およびプラセオジムのうちの１つ以上を含み、不溶性希土類元素含有化合物は１つ以上のセリウム酸化物を含み、１つ以上のセリウム酸化物はＣｅ（ＩＶ）、Ｃｅ（ＩＩＩ）、またはランタン含有化合物を含む、請求項１に記載の凝集組成物。
【請求項５】
凝集組成物は１つ以上のセリウム酸化物のみからなり、凝集組成物は、１μｍ以上、５μｍ以上、１０μｍ以上、２５μｍ以上、０．５ｍｍ以上、１ｍｍ以上、２ｍｍ以上、および５ｍｍ以上から選択される平均粒子寸法を有し、
凝集組成物は、１ｍ２／ｇ以上、５ｍ２／ｇ以上、１０ｍ２／ｇ以上、２５ｍ２／ｇ以上、７０ｍ２／ｇ以上、８５ｍ２／ｇ以上、１１５ｍ２／ｇ以上、１６０ｍ２／ｇ以上から選択される平均表面積を有し、
凝集組成物は、凝集組成物のグラムあたり５０ｍｇ以上、６０ｍｇ以上、および７０ｍｇ以上から選択される量のヒ素を水溶液から除去する吸着能を有する、請求項１に記載の凝集組成物。
【請求項６】
前記１つ以上のセリウム酸化物は、ＣｅＯ２（ＩＶ）を含み、前記１つ以上の可溶性希土類元素含有化合物は、塩化セリウム、硝酸セリウム、無水硫酸セリウム、塩化ランタン、酢酸セリウム、硫酸セリウム、ハロゲン化セリウム、およびシュウ酸セリウムから選択される、請求項５に記載の凝集組成物。
【請求項７】
無機剤、添加剤、および流動補助剤のうちの１つ以上をさらに含み、
無機剤は、合成イオン交換樹脂、活性炭、合成ゼオライト、天然に得られるゼオライト、鉱物、クレイ、ベントナイトクレイ、スメクタイトクレイ、カオリンクレイ、ドロマイトクレイ、モンモリロナイトクレイ、クレイ誘導体、金属ケイ酸塩、金属ケイ酸鉱物、金属リン酸塩、リン酸塩鉱物、金属酸化物、リン酸カルシウム、ケイ酸アルミニウム、酸化鉄、および酸化マンガンから選択され、
添加剤は、粒子表面改質添加剤、カップリング剤、可塑剤、フィラー、発泡剤、繊維、帯電防止剤、開始剤、懸濁化剤、増感剤、潤滑剤、湿潤剤、界面活性剤、色素、染料、ＵＶ安定化剤、および懸濁化剤から選択され、
流動補助剤は、硫酸鉄、塩化鉄、硫酸鉄、硫酸アルミニウム、アルミン酸ナトリウム、ポリ塩化アルミニウム、三塩化アルミニウム、シリカ、珪藻土、
有機流動補助剤、有機綿状物、カチオン性ポリアクリルアミド、非イオン性ポリアクリルアミド、アニオン性ポリアクリルアミド、ＥＰＩ−ＤＭＡ、エピクロルヒドリン−ジメチルアミン、ＤＡＤＭＡＣ、ポリジアリルジメチルアンモニウムクロリド、ジシアンジアミド／ホルムアルデヒドポリマー、ジシアンジアミド／アミンポリマー、天然グアーゴムから選択される、請求項１に記載の凝集組成物。
【請求項８】
ポリマーバインダと、不溶性希土類元素含有化合物と、随意で１つ以上の可溶性希土類元素含有化合物とを含む混合物を形成する工程と、
前記混合物の押出を行って前記不溶性希土類元素含有化合物および随意の１つ以上の可
溶性希土類元素含有化合物をポリマーバインダに付着させる工程であって、ポリマーバインダは柔軟性または粘着性であり、前記不溶性希土類元素含有化合物はポリマーバインダに付着する前記工程と、
前記混合物を一定の温度まで加熱する工程と、
前記混合物を冷却して凝集組成物を形成させる工程と、を含む方法によって製造され、
ポリマーバインダは凝集組成物の８重量％未満である、請求項１に記載の凝集組成物。
【請求項９】
ポリマーバインダと、不溶性希土類元素含有化合物と、随意で１つ以上の可溶性希土類元素含有化合物とを含む混合物を形成する工程と、
前記混合物を機械的に処理して前記不溶性希土類元素含有化合物および随意の１つ以上の可溶性希土類元素含有化合物をポリマーバインダに付着させる工程と、
前記混合物を一定の温度まで加熱する工程であって、混合物を一定の温度まで加熱して化学的変換および物理的変換のうちの１つ以上を促進する前記工程と、
前記混合物を冷却して凝集組成物を形成させる工程と、
凝集組成物の切断、砕化、粉化、および篩分のうちの１つ以上によって凝集組成物の寸法を減少させ、凝集組成物の粒子を形成させる工程と、を備える方法。
【請求項１０】
凝集組成物の粒子は、凝集組成物は、１μｍ以上、５μｍ以上、１０μｍ以上、２５μｍ以上、０．５ｍｍ以上、１ｍｍ以上、２ｍｍ以上、および５ｍｍ以上から選択される平均粒子寸法を有する、請求項９に記載の方法。
【請求項１１】
前記ポリマーバインダを前記不溶性希土類元素含有化合物と混合して前記混合物を形成する工程をさらに備え、
前記機械的な処理は、混合物の小型化、圧縮、プレス、混合、および押出、ならびに混合物に対する振動または波動の適用から選択され、
前記凝集組成物の粒子は、流動可能な粒子、粒状物、ビーズ、ペレット、粉体、または繊維の形態であり、
前記機械的な処理は、ｉ）前記加熱の前、ｉｉ）前記加熱の後、およびｉｉｉ）前記加熱中のうちのいずれかにおいて行われ、
前記加熱は、前記混合物を一定の温度まで加熱して、ポリマーバインダの化学的変換、物理的変換、および架橋のうちの１つ以上を促進することを含み、
前記加熱は、前記ポリマーバインダが軟化して柔軟性または粘着性を示す温度まで加熱することを含む、請求項１０に記載の方法。
【請求項１２】
前記不溶性希土類元素含有化合物はポリマーバインダに付着し、前記不溶性希土類元素含有化合物は粒子を含み、前記不溶性希土類元素含有化合物の粒子は、ポリマーバインダの外面に付着され、
前記凝集組成物の粒子は、１μｍ以上、５μｍ以上、１０μｍ以上、２５μｍ以上、０．５ｍｍ以上、１ｍｍ以上、２ｍｍ以上、および５ｍｍ以上から選択される平均粒子寸法を有し、
前記凝集組成物の粒子は、１ｍ２／ｇ以上、５ｍ２／ｇ以上、１０ｍ２／ｇ以上、２５ｍ２／ｇ以上、７０ｍ２／ｇ以上、８５ｍ２／ｇ以上、１１５ｍ２／ｇ以上、１６０ｍ２／ｇ以上から選択される平均表面積を有し、
前記不溶性希土類元素含有化合物は同じまたは異なる希土類元素を含有し随意で混合した原子価または酸化状態を含む２つ以上の不溶性希土類元素含有化合物を含み、前記不溶性希土類元素含有化合物は、セリウム、ランタン、およびプラセオジムのうちの１つ以上を含み、前記不溶性希土類元素含有化合物は１つ以上のセリウム酸化物を含み、前記１つ以上のセリウム酸化物はＣｅ（ＩＶ）、Ｃｅ（ＩＩＩ）、またはランタン含有化合物を含み、前記不溶性希土類元素含有化合物は、粒、結晶、および粒子のうちの１つ以上の形態であり、前記不溶性希土類元素含有化合物は、０．５ｎｍ以上、１ｎｍ以上、５ｎｍ以上
、１０ｎｍ以上、１００ｎｍ以上、２５０ｎｍ以上、５００ｎｍ以上、および１μｍ以上から選択される平均粒子寸法を有し、
ポリマーバインダは、ポリウレタン、シリコーン、フルオロシリコーン、フェノール樹脂、メラミン樹脂、メラミンホルムアルデヒド、尿素ホルムアルデヒド、ナイロンを含むポリアミド、ポリエチレン、ＬＤＰＥ、ＬＬＤＰＥ、ＨＤＰＥ、ポリエチレンコポリマー、ポリオレフィン、可塑化ポリ塩化ビニル、非可塑化ポリ塩化ビニル、フッ素樹脂、ポリテトラフルオロエチレン、ポリスチレン、ポリプロピレン、セルロース樹脂、酢酸酪酸セルロース、アクリル樹脂、ポリアクリラート、ポリメチルメタクリラート、熱可塑性プラスチックブレンド、熱可塑性プラスチックブレンドグラフト、アクリロニトリル−ブタジエン−スチレン、アクリロニトリル−スチレン、ポリカルボナート、ポリビニルアセタート、エチレンビニルアセタート、ポリビニルアルコール、ポリオキシメチレン、ポリホルムアルデヒド、ポリアセタール、ポリエステル、ポリエチレンテレフタラート、ポリエーテルエーテルケトン、フェノール−ホルムアルデヒド樹脂、レゾール、ノボラック、エラストマー、天然ゴム、合成ゴム、スチレン−ブタジエンゴム、ネオプレン、ニトリルゴム、ブチルゴム、アルキルクロロスルホン化ポリエチレン、クロロスルホン化ポリエチレン、ペルフルオロエラストマー、ポリクロロプレン、エチレン−プロピレン−ジエンテルポリマー、塩素化ポリエチレン、およびフルオロエラストマーから選択される１つ以上のポリマーを含む、請求項１１に記載の方法。
【請求項１３】
前記凝集組成物は、無機剤、添加剤、および流動補助剤のうちの１つ以上をさらに含み、
無機剤は、合成イオン交換樹脂、活性炭、合成ゼオライト、天然に得られるゼオライト、鉱物、クレイ、ベントナイトクレイ、スメクタイトクレイ、カオリンクレイ、ドロマイトクレイ、モンモリロナイトクレイ、クレイ誘導体、金属ケイ酸塩、金属ケイ酸鉱物、金属リン酸塩、リン酸塩鉱物、金属酸化物、リン酸カルシウム、ケイ酸アルミニウム、酸化鉄、および酸化マンガンから選択され、
添加剤は、粒子表面改質添加剤、カップリング剤、可塑剤、フィラー、発泡剤、繊維、帯電防止剤、開始剤、懸濁化剤、増感剤、潤滑剤、湿潤剤、界面活性剤、色素、染料、ＵＶ安定化剤、および懸濁化剤から選択され、
流動補助剤は、硫酸鉄、塩化鉄、硫酸鉄、硫酸アルミニウム、アルミン酸ナトリウム、ポリ塩化アルミニウム、三塩化アルミニウム、シリカ、珪藻土、
有機流動補助剤、有機綿状物、カチオン性ポリアクリルアミド、非イオン性ポリアクリルアミド、アニオン性ポリアクリルアミド、ＥＰＩ−ＤＭＡ、エピクロルヒドリン−ジメチルアミン、ＤＡＤＭＡＣ、ポリジアリルジメチルアンモニウムクロリド、ジシアンジアミド／ホルムアルデヒドポリマー、ジシアンジアミド／アミンポリマー、天然グアーゴムから選択される、請求項１２に記載の方法。